(57)【要約】  スイッチのスイッチポートとストレージシステムのターゲットポートの間のパスに配置されたデバイスにより、ストレージシステムのターゲットポートのターゲットワールドワイドポート名が識別される。第1の登録手順で、ターゲットワールドワイドポート名に基づいて、デバイスの第1のポートがスイッチに登録される。第2の登録手順で、ターゲットポートに関連付けられたサーバのイニシエータポートに関する登録情報が受け取られる。登録情報に基づいて、サーバのイニシエータポートのイニシエータワールドワイドポート名が判断される。イニシエータポートのイニシエータワールドワイドポート名に基づいて、イニシエータポートに関連付けられたストレージシステムのストレージボリュームが判断される。
2015506506.tif 000002
【特許請求の範囲】
【請求項１】
データ管理サービスを提供する方法であって、
スイッチのスイッチポートとストレージシステムのターゲットポートの間のパスに配置されたデバイスにより、ターゲットポートのターゲットワールドワイドポート名を識別するステップと、
第1の登録手順で、前記ターゲットワールドワイドポート名に基づいて、前記デバイスの第1のポートを前記スイッチに登録するステップと、
第2の登録手順で、前記ターゲットポートに関連付けられたサーバのイニシエータポートに関する登録情報を受け取るステップと、
前記登録情報に基づいて、前記サーバの前記イニシエータポートのイニシエータワールドワイドポート名を判断するステップと、
前記イニシエータポートの前記イニシエータワールドワイドポート名に基づいて、前記イニシエータポートに関連付けられた前記ストレージシステムのストレージボリュームを識別するステップと
を含む方法。
【請求項２】
前記ターゲットワールドワイドポート名を前記デバイスの前記第1のポートに割り当てるステップ
をさらに含む請求項1に記載の方法。
【請求項３】
前記第2の登録手順が、前記第1のポートを介した前記イニシエータポートによる前記デバイスへの登録を含む請求項1に記載の方法。
【請求項４】
前記第2の登録手順で、前記ターゲットポートにゾーニングされたサーバのイニシエータポートに関連付けられたスイッチポート識別子を受け取るステップ
をさらに含む請求項3に記載の方法。
【請求項５】
前記スイッチの1または複数のポートごとに対応するワールドワイドポート名を識別するシンプルネームサーバテーブルにアクセスするステップ
をさらに含む請求項1に記載の方法。
【請求項６】
前記ストレージシステムに対して、前記イニシエータワールドワイドポート名を含むREPORT LUNコマンドを送信するステップと、
前記ストレージシステムから、前記REPORT LUNコマンドへの応答で、前記イニシエータワールドワイドポート名がアクセスできるストレージボリュームを識別する情報を受け取るステップと
をさらに含む請求項1に記載の方法。
【請求項７】
前記ストレージシステムに対して、前記イニシエータワールドワイドポート名がアクセスできる前記ストレージボリュームに関するSCSI照会を送信するステップと、
前記SCSI照会への応答で、前記ストレージボリュームのグローバルユニーク識別子を示す情報を受け取るステップと、
前記グローバルユニーク識別子に基づいて、前記イニシエータワールドワイドポート名に関連付けられた2つのストレージボリュームが同一かどうかを判断するステップと
をさらに含む請求項6に記載の方法。
【請求項８】
前記スイッチがファイバチャネルスイッチである請求項1に記載の方法。
【請求項９】
スイッチのスイッチポートとストレージシステムのターゲットポートの間のネットワークに配置されたデバイスであって、
第1のポートと、
プロセッサと
を含み、前記プロセッサが、
前記ストレージシステムのターゲットポートのターゲットワールドワイドポート名を識別し、
第1の登録手順で、前記ターゲットワールドワイドポート名に基づいて、前記第1のポートを前記スイッチに登録し、
第2の登録手順で、前記ターゲットポートに関連付けられたサーバのイニシエータポートに関する登録情報を受け取り、
前記登録情報に基づいて、前記サーバの前記イニシエータポートのイニシエータワールドワイドポート名を判断し、
前記イニシエータポートの前記イニシエータワールドワイドポート名に基づいて、前記イニシエータポートに関連付けられた前記ストレージシステムの1または複数のストレージボリュームを識別する
ように構成されたデバイス。
【請求項１０】
前記プロセッサが、
前記ターゲットワールドワイドポート名を前記デバイスの前記第1のポートに割り当てる
ようにさらに構成された請求項9に記載のデバイス。
【請求項１１】
前記第2の登録手順が、前記第1のポートを介した前記イニシエータポートによる前記デバイスへの登録を含む請求項9に記載のデバイス。
【請求項１２】
前記プロセッサが、
前記第2の登録手順で、前記ターゲットポートにゾーニングされたサーバのイニシエータポートに関連付けられたスイッチポート識別子を受け取る
ようにさらに構成された請求項11に記載のデバイス。
【請求項１３】
前記プロセッサが、
スイッチの1または複数のポートごとに対応するワールドワイドポート名を識別するシンプルネームサーバテーブルにアクセスする
ようにさらに構成された請求項9に記載のデバイス。
【請求項１４】
前記プロセッサが、
前記ストレージシステムに対して、前記イニシエータワールドワイドポート名を含むREPORT LUNコマンドを送信し、
前記ストレージシステムから、前記REPORT LUNコマンドへの応答で、前記ワールドワイドポート名がアクセスできるストレージボリュームを識別する情報を受け取る
ようにさらに構成された請求項9に記載のデバイス。
【請求項１５】
前記プロセッサが、
前記ストレージシステムに対して、前記イニシエータワールドワイドポート名に関連付けられた前記ストレージボリュームに関するSCSI照会を送信し、
前記SCSI照会への応答で、前記ストレージボリュームのグローバルユニーク識別子を示す情報を受け取り、
前記グローバルユニーク識別子に基づいて、前記イニシエータワールドワイドポート名に関連付けられた2つのストレージボリュームが同一かどうかを判断する
ようにさらに構成された請求項14に記載のデバイス。
【請求項１６】
前記スイッチがファイバチャネルスイッチである請求項9に記載のデバイス。
【請求項１７】
データ管理サービスを提供する方法であって、
スイッチのスイッチポートとストレージシステムのターゲットポートの間のパスに配置されたデバイスにより、前記スイッチに接続されたホストエンティティのイニシエータポートの識別子を判断するステップと、
前記識別子に基づいて、前記イニシエータポートがアクセスできる前記ストレージシステムのストレージボリュームを識別するステップと、
識別された前記ストレージボリュームに関するデータ管理サービスを提供するステップと
を含む方法。
【請求項１８】
前記データ管理サービスが、データのコピー、データイメージのスナップショットの実行、データの複製、データ移行サービスの実行、ストレージシステムで維持される選択されたボリュームとの間で送受信されるI/Oコマンドの監視、I/Oコマンドに関する統計情報の生成、および予め定義された条件の検出に基づいて予め定義された機能を呼び出すことによる指定された動作の実行の1つを含む請求項17に記載の方法。
【請求項１９】
前記識別子がワールドワイドポート名である請求項17に記載の方法。
【請求項２０】
前記ストレージシステムに対して、前記ワールドワイドポート名を含むREPORT LUNコマンドを送信するステップと、
前記ストレージシステムから、前記REPORT LUNコマンドへの応答で、選択されたワールドワイドポート名がアクセスできる前記ストレージボリュームを識別する情報を受け取るステップと
をさらに含む請求項19に記載の方法。
【請求項２１】
ネットワーク内のスイッチのスイッチポートとストレージシステムのターゲットポートの間のパスに配置されたデバイスであって、
前記スイッチに接続された第1のポートと、
前記ストレージシステムに接続された第2のポートと、
少なくとも1つのプロセッサと
を含み、前記プロセッサが、
前記スイッチに接続されたホストエンティティのイニシエータポートの識別子を判断し、
前記識別子に基づいて、前記イニシエータポートがアクセスできる前記ストレージシステムのストレージボリュームを識別し、
識別された前記ストレージボリュームに関するデータ管理サービスを提供する
ように構成されたデバイス。
【請求項２２】
前記データ管理サービスが、データのコピー、データイメージのスナップショットの実行、データの複製、データ移行サービスの実行、ストレージシステムで維持される選択されたボリュームとの間で送受信されるI/Oコマンドの監視、I/Oコマンドに関する統計情報の生成、および予め定義された条件の検出に基づいて予め定義された機能を呼び出すことによる指定された動作の実行の1つを含む請求項21に記載のデバイス。
【請求項２３】
前記識別子がワールドワイドポート名である請求項21に記載のデバイス。
【発明の詳細な説明】
【技術分野】
【０００１】
関連出願
本出願は、2011年12月23日に提出された米国特許出願第13/336,257号を本明細書に引用により援用する。
【０００２】
本明細書は、一般に、データを格納および管理するシステムおよび方法に関し、より詳細には、ストレージシステムで維持されているデータに関するデータ管理サービスを提供するシステムおよび方法に関する。
【背景技術】
【０００３】
電子データの格納、より詳細には電子データの管理は、ますます重要になっている。インターネット、特にクラウドコンピューティングの成長により、データストレージの容量と、格納されたデータを効率的に管理する方法とに対するニーズは、増大し続けている。多くの異なる種類のストレージデバイスおよびストレージシステムがデータを格納するために現在使用されている。これには、ディスクドライブ、テープドライブ、光学ディスク、独立ディスク冗長アレイ(RAID)、ファイバチャネルベースのストレージエリアネットワーク(SAN)などが含まれる。
【０００４】
多くのエンタープライズレベルのストレージシステムでは、1または複数の所望のタスクを実行するために、既存のストレージシステムにデータ管理サービスを追加すると有益である。たとえば、一部のストレージシステムでは、データのコピー、データイメージのスナップショットの実行、データのバックアップ、データの複製、ストレージデバイスまたはストレージシステム間でのデータの移行等を行う機能を追加すると有益でありうる。通常は、こうしたサービスを実行するためのすべての追加機能を、ストレージシステムの動作を中断させずにインストールするのが望ましい。
【発明の概要】
【課題を解決するための手段】
【０００５】
実施形態によれば、データ管理サービスを提供する方法が提供される。スイッチのスイッチポートとストレージシステムのターゲットポートの間のパスに配置されたデバイスにより、ストレージシステムのターゲットポートのターゲットワールドワイドポート名が識別される。第1の登録手順で、デバイスの第1のポートが、ターゲットワールドワイドポート名に基づいてスイッチに登録される。第2の登録手順で、ターゲットポートに関連付けられたサーバのイニシエータポートに関する登録情報が受け取られる。登録情報に基づいて、サーバのイニシエータポートのイニシエータワールドワイドポート名が判断される。イニシエータポートのイニシエータワールドワイドポート名に基づいて、イニシエータポートに関連付けられたストレージシステムのストレージボリュームが判断される。
【０００６】
一実施形態では、ターゲットワールドワイドポート名がデバイスの第1のポートに割り当てられる。
【０００７】
別の実施形態では、第2の登録手順が、第1のポートを介したイニシエータポートによるデバイスへの登録を含みうる。一実施形態では、第2の登録手順で、ターゲットポートにゾーニングされたサーバのイニシエータポートに関連付けられたスイッチポート識別子が受け取られる。
【０００８】
別の実施形態では、スイッチの1または複数のスイッチポートごとに対応するワールドワイドポート名を識別するシンプルネームサーバテーブルへのアクセスが行われる。
【０００９】
一実施形態では、イニシエータワールドワイドポート名を含むREPORT LUNコマンドがストレージシステムに送信される。REPORT LUNコマンドへの応答で、イニシエータワールドワイドポート名がアクセスできるストレージボリュームを識別する情報がストレージシステムから受け取られる。
【００１０】
別の実施形態では、イニシエータワールドワイドポート名がアクセスできるストレージボリュームに関するSCSI照会がストレージシステムに送信される。SCSI照会への応答で、ストレージボリュームのグローバルユニーク識別子を示す情報が受け取られる。グローバルユニーク識別子に基づいて、イニシエータワールドワイドポート名に関連付けられた2つのストレージボリュームが同一であるかどうかの判断が行われる。
【００１１】
一実施形態では、スイッチはファイバチャネルスイッチである。
【００１２】
別の実施形態によれば、スイッチのスイッチポートとストレージシステムのターゲットポートの間のネットワークに配置されたデバイスが提供される。デバイスは、第1のポートと、プロセッサとを含む。プロセッサは、ストレージシステムのターゲットポートのターゲットワールドワイドポート名を識別し、第1の登録手順で、ターゲットワールドワイドポート名に基づいて第1のポートをスイッチに登録するように構成される。プロセッサは、第2の登録手順で、ターゲットポートに関連付けられたサーバのイニシエータポートに関する登録情報を受け取り、登録情報に基づいて、サーバのイニシエータポートのイニシエータワールドワイドポート名を判断し、イニシエータポートのイニシエータワールドワイドポート名に基づいて、イニシエータポートに関連付けられたストレージシステムの1または複数のストレージボリュームを識別するようにさらに構成される。
【００１３】
別の実施形態では、データ管理サービスを提供する方法が提供される。スイッチのスイッチポートとストレージシステムのターゲットポートの間のパスに配置されたデバイスにより、スイッチに接続されたホストエンティティのイニシエータポートの識別子が判断される。識別子に基づいて、イニシエータポートがアクセスできるストレージシステムのストレージボリュームが識別される。識別されたストレージボリュームに関するデータ管理サービスが提供される。識別子は、ワールドワイドポート名でありうる。
【００１４】
一実施形態では、データ管理サービスは、データのコピー、データイメージのスナップショットの実行、データの複製、データ移行サービスの実行、ストレージシステムで維持される選択されたボリュームとの間で送受信されるI/Oコマンドの監視、I/Oコマンドに関する統計情報の生成、および予め定義された条件の検出に基づいて予め定義された機能を呼び出すことによる指定された動作の実行の1つを含みうる。
【００１５】
別の実施形態では、ネットワーク内のスイッチのスイッチポートとストレージシステムのターゲットポートの間のパスに配置されたデバイスが提供される。デバイスは、スイッチに接続された第1のポートと、ストレージシステムに接続された第2のポートと、少なくとも1つのプロセッサとを含む。プロセッサは、スイッチに接続されたポストエンティティのイニシエータポートの識別子を判断し、識別子に基づいて、イニシエータポートがアクセスできるストレージシステムのストレージボリュームを識別し、識別されたストレージボリュームに関するデータ管理サービスを提供するように構成される。
【００１６】
別の実施形態では、装置が提供される。装置は、ストレージデバイスのターゲットポートのターゲットワールドワイドポート名を識別する手段と、第1の登録手順で、ターゲットワールドワイドポート名に基づいて第1のポートをスイッチに登録する手段と、第2の登録手順で、ターゲットポートに関連付けられたサーバのイニシエータポートに関する登録情報を受け取る手段とを含む。装置は、登録情報に基づいて、サーバのイニシエータポートのイニシエータワールドワイドポート名を判断する手段と、イニシエータポートのイニシエータワールドワイドポート名に基づいて、イニシエータポートに関連付けられたストレージシステムのストレージボリュームを識別する手段とをさらに含む。
【００１７】
別の実施形態では、データストレージサービスとデータ管理サービスとを提供するシステムが提供される。システムは、1または複数のストレージボリュームを格納するようになされたストレージと、1または複数のストレージボリュームに関するI/Oコマンドを送信および受信するようになされた少なくとも1つのターゲットポートとを含むストレージシステムを含む。システムは、1または複数のストレージボリュームに関するI/Oコマンドを送信および受信するようになされた少なくとも1つのイニシエータポートを含むサーバをさらに含む。システムは、I/Oコマンドを送信および受信するようになされた複数のスイッチポートと、選択されたI/Oコマンドを第1の選択されたスイッチポートから第2の選択されたスイッチポートに送るようになされたスイッチマネージャとを含むスイッチをさらに含む。システムは、スイッチのスイッチポートとストレージシステムのターゲットポートの間のパスに配置され、サーバの選択されたイニシエータポートの識別子を判断し、識別子に基づいて、選択されたイニシエータポートがアクセスできるストレージシステムのストレージボリュームを識別し、識別されたストレージボリュームに関するデータ管理サービスを提供するようになされたアプライアンスをさらに含む。
【００１８】
本開示のこれらの利点およびその他の利点は、以下の発明を実施するための形態と添付の図面とを参照することで、当業者にとって明らかとなる。
【図面の簡単な説明】
【００１９】
【図１】実施形態に従ってデータストレージサービスとデータ管理サービスとを提供するために使用されうる通信システムを示す図である。
【図２】実施形態に従ったファイバチャネルベースのストレージエリアネットワーク(SAN)の構成要素を示す図である。
【図３】実施形態に従ったサーバの機能的構成要素を示す図である。
【図４】実施形態に従ったストレージシステムの機能的構成要素を示す図である。
【図５】実施形態に従ったファイバチャネルスイッチの機能的構成要素を示す図である。
【図６】実施形態に従ったシンプルネームサーバテーブルの例を示す図である。
【図７】実施形態に従ってファイバチャネルスイッチ内で確立されうるゾーニング構成の例を示す図である。
【図８】実施形態に従ったインターセプタアプライアンスの機能的構成要素を示す図である。
【図９Ａ】実施形態に従ってファイバチャネルスイッチとストレージシステムの間のリンクが削除された後の図2のファイバチャネルベースのSANを示す図である。
【図９Ｂ】実施形態に従ってファイバチャネルスイッチとストレージシステムの間にインターセプタアプライアンスが挿入された後の図2のファイバチャネルベースのSANを示す図である。
【図１０】実施形態に従ってネットワークの構成要素と通信する方法のフローチャートである。
【図１１】実施形態に従ってデータストレージサービスとデータ管理サービスとを提供するために使用されうる通信システムを示す図である。
【図１２】実施形態に従ってデータ管理サービスを提供する方法のフローチャートである。
【図１３】本発明の特定の実施形態を実装するために使用されうる典型的なコンピュータを示す図である。
【発明を実施するための形態】
【００２０】
さまざまな実施形態に従って、データ格納サービスおよびデータ管理サービスを提供する方法およびシステムを提供する。一実施形態では、ネットワーク内のスイッチのスイッチポートとストレージシステムのターゲットポートの間のパスに、インターセプタデバイスが挿入される。一実施形態では、インターセプタデバイスは、ストレージエリアネットワーク(SAN)に挿入される。インターセプタデバイスは、ストレージエリアネットワークの選択された構成要素になりすまして、ストレージ構成とストレージシステムに格納されたデータとに関する情報を取得する。詳細には、ターゲットポートのターゲットワールドワイドポート名がデバイスによって識別され、第1の登録手順で、デバイスの上流側ポートがターゲットワールドワイドポート名に基づいてスイッチに登録される。第2の登録手順で、ターゲットポートにゾーニングされたホストエンティティのイニシエータポートのイニシエータワールドワイドポート名を識別する登録情報が受け取られる。登録情報は、1または複数のイニシエータポートから受け取られうる。イニシエータポートのイニシエータワールドワイドポート名が、登録情報に基づいて判断される。ホストエンティティの1または複数のイニシエータポートごとに、それぞれのイニシエータポートに関連付けられたストレージシステムの1または複数のストレージボリュームが、それぞれのイニシエータポートのイニシエータワールドワイドポート名に基づいて識別される。この態様で、インターセプタデバイスはホストエンティティがアクセスできる1または複数のストレージボリュームを識別する。
【００２１】
ホストエンティティがアクセスしうるストレージボリュームを識別した後、インターセプタデバイスは、それらのボリュームに格納されたデータに関する追加のデータ管理サービスを提供できる。たとえば、インターセプタデバイスは、データをコピーし、データのスナップショットを実行し、データをバックアップし、データを複製し、データの移行操作を実行できる。
【００２２】
図1は、実施形態に従ってデータストレージサービスとデータ管理サービスとを提供するために使用される通信システム100を示す。通信システム100は、第1のネットワーク105と、1または複数のクライアント160-A、160-B等と、1または複数のサーバ135-A、135-B等とを含む。通信システム100はまた、第2のネットワーク115と、ストレージシステム180とを含む。2つのクライアント160が図1に示されているが、他の実施形態では、通信システム100が含むクライアントは2つより多くても少なくてもよい。同様に、2つのサーバ135が図1に示されているが、他の実施形態では、通信システム100が含むサーバは2つより多くても少なくてもよい。
【００２３】
便宜上、「クライアント160」という用語は、本明細書ではクライアント160-A、160-B等の任意の1つを示すものとして使用する。よって、本明細書の「クライアント160」についてのすべての説明は、クライアント160-A、160-B等のそれぞれに等価に当てはまる。同様に、「サーバ135」という用語は、本明細書ではサーバ135-A、135-B等の任意の1つを示すものとして使用する。よって、本明細書の「サーバ135」についてのすべての説明は、サーバ135-A、135-B等のそれぞれに等価に当てはまる。
【００２４】
ストレージシステム180はデータを格納する。たとえば、ストレージシステム180は、ファイル、スプレッドシート、画像、音声ファイル、ソースコードファイル等を含むがこれらに限定されない任意の種類のデータを含みうる。ストレージシステム180は、随時、指定されたデータを格納する要求を別のデバイスから受け取り、それに応じて指定されたデータを格納しうる。たとえば、ストレージシステム180は、サーバ135から受け取ったデータを格納しうる。ストレージシステム180はさらに、随時、格納されたデータにアクセスする要求を別のデバイスから受け取り、それに応じて、要求されたデータを要求元のデバイスに提供するか、または要求されたデータへのアクセスを提供する。ストレージシステム180は、要求元のデバイスが要求されたデータへのアクセスを許可されていることを、そのデータへのアクセスを提供する前に確認できる。ストレージシステム180はネットワーク115に接続されている。
【００２５】
ネットワーク115は、ファイバチャネルベースのストレージエリアネットワーク(SAN)、iSCSIベースのネットワーク、ローカルエリアネットワーク(LAN)、広域ネットワーク(WAN)、ワイヤレスネットワーク等の異なる種類のネットワークの1または複数を含みうる。他のネットワークも使用されうる。
【００２６】
サーバ135は、随時、格納されたデータに対する要求をクライアント160から受け取り、ストレージシステム180と通信して要求されたデータを取得し、要求されたデータを要求元のクライアントに提供する。サーバ135は、ネットワーク115に接続され、ストレージシステム180とネットワーク115を介して通信する。サーバ135は、ネットワーク105にも接続され、クライアント160とネットワーク105を介して通信する。たとえば、サーバ135は、パーソナルコンピュータ、ワークステーション、メインフレームコンピュータ、サーバコンピュータ、ワークステーション等でありうる。一部の実施形態では、サーバ、または2台以上のサーバのクラスタが、「ホストエンティティ」として定義されうる。
【００２７】
図1の典型的な実施形態では、ネットワーク105は、イントラネット、ローカルエリアネットワーク(LAN)、広域ネットワーク(WAN)、ワイヤレスネットワーク等の異なる種類のネットワークの1または複数を含みうる。他のネットワークも使用されうる。代替で、ネットワーク105は異なる種類のネットワークの組み合わせを含みうる。
【００２８】
クライアント160は、ネットワーク105を介して通信できる任意のコンピュータまたは他のデバイスでありうる。たとえば、クライアント160は、パーソナルコンピュータ、ノートパソコン、タブレットデバイス、サーバコンピュータ、メインフレームコンピュータ、ワークステーション、携帯電話等のワイヤレスデバイス、個人用デジタル補助デバイス等でありうるが、これらに限定されない。クライアント160は、随時、データの要求をサーバ135に送信する。たとえば、クライアント160は、クライアント160のユーザがウェブページ、格納されたデータ、格納された電子メール、格納されたアカウント関連のデータ等へのアクセスを要求したときに、サーバ135に対して、格納されたデータの要求を送信しうる。
【００２９】
一実施形態では、サーバ135は、ウェブサイトを維持し当該ウェブサイトに関連する1または複数のWebページへのアクセスを提供するウェブサーバを含みうる。より詳細には、サーバ135は、1または複数のクラウドベースのサービスをクライアント160に提供しうる。これには、クライアント160がインターネットを介してデータを遠隔的かつ透過的に格納し、格納されたデータにインターネットを介してアクセスできるようにする、クラウドベースのストレージサービスが含まれる。
【００３０】
他の実施形態では、サーバ135は他の種類のサービスを提供できる。たとえば、サーバ135は、格納されたファイルへのアクセスを提供するファイルサーバ、格納された電子メールへのアクセスを提供する電子メールサーバ等を含みうる。
【００３１】
例示的な実施形態では、ネットワーク115はファイバチャネルベースのストレージエリアネットワーク(SAN)である。図2は、実施形態に従ったファイバチャネルベースのストレージエリアネットワーク(SAN)115の構成要素を示す。ファイバチャネルベースのストレージエリアネットワーク(SAN)115は、サーバ135-Aおよびサーバ135-Bを含む1または複数のサーバと、ストレージシステム180と、ファイバチャネルスイッチ225とを含む。サーバ135-Aは、リンク271および272によりファイバチャネル(FC)スイッチ225に接続される。サーバ135-Bは、リンク273および274によりFCスイッチ225に接続される。FCスイッチ225は、リンク281および282によりストレージシステム180に接続される。他の実施形態では、ファイバチャネルベースのSAN 115は、任意の種類のトポロジを備えうる。これには、ポイントツーポイントトポロジ、アービトレーテッドループトポロジ、スイッチドファブリックトポロジ等のトポロジが含まれるが、これらに限定されない。
【００３２】
ファイバチャネルベースのSAN 115内の特定のデバイスは、1または複数のポートを含む。ポートは、ネットワーク115を介して能動的に通信するエンティティである。サーバ135に配置されたポートは、本明細書では、イニシエータポートとも呼ばれることがある。ストレージシステム180に配置されたポートは、本明細書では、ターゲットポートとも呼ばれることがある。FCスイッチ225に配置されたポートは、本明細書では、スイッチポートとも呼ばれることがある。図2の例示的な実施形態では、サーバ135-AはイニシエータポートI-1およびI-2を含み、サーバ135-BはイニシエータポートI-3およびI-4を含む。ストレージシステム180は、ターゲットポートT-1およびT-2を含む。FCスイッチ225は、スイッチポートP-1、P-2、P-3、P-4、P-5、およびP-6を含む。サーバ135、ストレージシステム180、およびFCスイッチ225が含むポートは、図2に示されているポートよりも多いか、または少ない可能性がある。
【００３３】
データは、ファイバチャネルベースのSAN 115内でリンクを介して送信される。例示的な実施形態では、リンク271は、(サーバ135-Aの)イニシエータポートI-1をFCスイッチ225のポートP-1に接続する。リンク272は、(サーバ135-Aの)イニシエータポートI-2をFCスイッチ225のポートP-2に接続する。リンク273は、(サーバ135-Bの)イニシエータポートI-3をFCスイッチ225のポートP-3に接続する。リンク274は、サーバ135-BのイニシエータポートI-4をFCスイッチ225のポートP-4に接続する。リンク281は、FCスイッチ225のポートP-5をストレージシステム180のターゲットポートT-1に接続する。リンク282は、FCスイッチ225のポートP-6をストレージシステム180のターゲットポートT-2に接続する。
【００３４】
実施形態では、ファイバチャネルベースのSAN 115の構成要素間の通信は、ファイバチャネルプロトコル(FCP)に応じて実施される。たとえば、サーバ135、FCスイッチ225、およびストレージシステム180は、ネットワーク115を介してSCSIコマンドを送信できる。
【００３５】
図3は、実施形態に従ったサーバ135の機能的構成要素を示す。例示の目的上、図3ではサーバ135-Aの構成要素を示しているが、図3および以下の説明は、通信システム100の任意のサーバに等価に当てはまる。サーバ135-Aは、サービスマネージャ325と、メモリ375と、イニシエータポートI-1およびI-2とを含む。サーバ135-Aが含むイニシエータポートは、2つよりも多いか、または少ない可能性がある。
【００３６】
サービスマネージャ325は、サーバ135-A内のさまざまな構成要素の動作を制御する。サービスマネージャ325は、ソフトウェア、ハードウェア、またはソフトウェアとハードウェアの組み合わせにより実装されうる機能的プロセスである。メモリ375は、サーバ135-Aのさまざまな構成要素により、データを格納するために使用される。図3の例示的な実施形態では、イニシエータポートI-1およびI-2は、サーバ135-Aに配置されたホストバスアダプタ362で実装される。サーバ135-Aは、複数のホストバスアダプタを含みうる。他の実施形態では、イニシエータポートI-1およびI-2は、サーバ135-Aの異なる構成要素で実装されうる。サーバ135-Aは、図3に示されていない構成要素を含みうる。
【００３７】
図4は、実施例に従ったストレージシステム180の機能的構成要素を示す。ストレージシステム180は、ストレージマネージャ410と、メモリ475と、ストレージ468とを含む。ストレージマネージャ410は、ストレージシステム180のさまざまな構成要素の操作を制御する。ストレージマネージャ410は、多様なデータストレージ技術の1または複数を使用してデータを格納する機能を含みうる。たとえば、ストレージマネージャ410は、仮想化方式を使用したり、さまざまなRAID構成を使用したりして、データを格納できる。ストレージマネージャ410は、ソフトウェア、ハードウェア、またはソフトウェアとハードウェアの組み合わせにより実装されうる機能的プロセスである。メモリ475は、ストレージシステム180のさまざまな構成要素により、データを格納するために使用されうる。ストレージシステム180はまた、ターゲットポートT-1およびT-2を含む。一実施形態では、ターゲットポートT-1およびT-2は、1または複数のホストバスアダプタで実装されうる。一実施形態では、ストレージマネージャ410と1または複数のターゲットポートとは、ストレージコントローラと呼ばれるサブシステムとして実装されうる。ストレージシステム180は、図4に示されていない構成要素を含みうる。
【００３８】
ストレージ468は、データを格納できる1または複数のストレージデバイス(図示せず)を含む。ストレージ468は、1または複数のブロックレベルストレージデバイス、1または複数のファイルレベルストレージデバイス、および/または他の種類のストレージデバイスを含みうる。たとえば、ストレージ468は、1または複数のディスクドライブ、光学ディスク、テープドライブ等を含みうるが、これらに限定されない。ストレージ468は、独立ディスク冗長アレイ(RAID)または複数RAIDを含みうる。ストレージ468は、ローカルストレージおよび/または分散型ストレージを含みうる。他の種類のストレージデバイスも使用されうる。
【００３９】
ストレージシステム180に格納されたデータは、ボリュームとも呼ばれる論理ユニット番号(LUN)に整理されうる。図4の例示的な実施形態では、ストレージ468は、ボリューム491および492を含む複数のボリュームを含む。LUNまたはボリュームは、論理的な単位であり、したがって複数のストレージデバイスに分散したデータを含みうる。
【００４０】
図5は、実施形態に従ったFCスイッチ225の機能的構成要素を示す。FCスイッチ225は、スイッチマネージャ525と、メモリ575とを含む。スイッチマネージャ525は、FCスイッチ225内のさまざまな構成要素の動作を制御する。スイッチマネージャ525は、ソフトウェア、ハードウェア、またはソフトウェアとハードウェアの組み合わせにより実装されうる機能的プロセスである。メモリ575は、FCスイッチ225のさまざまな構成要素により、制御データを格納するために使用される。FCスイッチ225はまた、スイッチポートP-1、P-2、P-3、P-4、P-5、およびP-6を含む。一実施形態では、ポートP-1、P-2、P-3、P-4、P-5、およびP-6は、1または複数のホストバスアダプタを使用して実装されうる。FCスイッチ225は、図5に示されていない構成要素を含みうる。
【００４１】
スイッチマネージャ525は、随時、FCスイッチ225の第1のスイッチポートで受け取られたI/OコマンドをFCスイッチ225の第2のスイッチポートに送る。
【００４２】
ファイバチャネルベースのSAN 115内のデバイスのポートがFCスイッチ225に接続されると、当該ポートは、既知の登録手順またはログイン手順でFCスイッチ225に登録またはログインする。各ファイバチャネルポートには、デバイスの製造業者によって、ワールドワイドポート名(WWPN)と呼ばれるユニーク識別子が割り当てられている。各WWPNは、一意の64ビット数である。よって、各イニシエータポートI-1、I-2、I-3、およびI-4は、それぞれのWWPNを備える。FCスイッチ225のP-1からP-6までの各ポートも、それぞれのWWPNを備える。ストレージシステム180の各ターゲットポートT-1およびT-2は、それぞれのWWPNを備える。
【００４３】
便宜上、本明細書では、イニシエータポートのワールドワイドポート名をイニシエータワールドワイドポート名と呼び、ターゲットポートのワールドワイドポート名をターゲットワールドワイドポート名と呼ぶ。ただし、上述したように、各ワールドワイドポート名は、(イニシエータポートとターゲットポートのどちらに関連付けられているかに関係なく)一意の64ビット数である。本明細書で使用するイニシエータワールドワイドポート名およびターゲットワールドワイドポート名という用語は、あくまでも便宜上のものである。これらの用語は、ワールドワイドポート名の異なる「種類」を反映しているわけでもなければ、イニシエータポートに関連付けられたワールドワイドポート名とターゲットポートに関連付けられたワールドワイドポート名を区別するワールドワイドポート名自体の特徴を反映しているわけでもない。
【００４４】
FCスイッチ225は、シンプルネームサーバテーブルを維持して、ファイバチャネルベースのSAN 115内のさまざまなポートに関する情報を格納する。図6は、実施形態に従ったシンプルネームサーバテーブルの例を示す。シンプルネームサーバテーブル650は、イニシエータポートまたはターゲットポートのワールドワイドポート名を格納する列625と、イニシエータポートまたはターゲットポートが接続されるFCスイッチ225のポートの識別子を格納する列629とを含む。レコード602を参照すると、イニシエータポートI-1に割り当てられた第1のワールドワイドポート名WWPN-1は、FCスイッチ225のポートP-1に接続されている。レコード604は、WWPN-2(イニシエータポートI-2に割り当てられている)がFCスイッチ225のポートP-2に接続されていることを示している。レコード606は、WWPN-3(イニシエータポートI-3に割り当てられている)がFCスイッチ225のポートP-3に接続されていることを示している。レコード614は、WWPN-5(ターゲットポートT-1に割り当てられている)がFCスイッチ225のポートP-5に接続されていることを示している。
【００４５】
シンプルネームサーバテーブル650は、図5に示すように、FCスイッチ225のメモリ575に格納される。サーバ135およびストレージシステム180には、随時、シンプルネームサーバテーブル650へのアクセスが与えられうる。
【００４６】
サーバ135のイニシエータポートまたはストレージシステム180のターゲットポートがFCスイッチ225のポートに接続されると、そのイニシエータポートまたはターゲットポートは、ファイバチャネルログイン要求とも呼ばれる登録要求をFCスイッチ225に送信する。これに応じて、シンプルネームサーバテーブル650が更新されて、要求元ポートのWWPNとFCスイッチ225の対応するポートとが記録される。イニシエータポートまたはターゲットポートがFCスイッチ225から接続解除されると、シンプルネームサーバテーブル650が更新されて変更が反映される。
【００４７】
＜I/Oコマンド＞
サーバ135は、随時、ストレージシステム180が指定されたストレージボリュームにデータを格納することを要求する入力/出力(I/O)コマンドを生成し、ストレージシステム180に(FCスイッチ225を介して)送信しうる。特定のストレージボリュームに関連し、サーバ135の特定のイニシエータポートを起点とし、ストレージシステム180の所望のターゲットポートを目的とするI/Oコマンドは、(1)サーバ135の起点のイニシエータポートに対応する(すなわち、接続される)スイッチ225のポートの識別子、(2)ストレージシステム180の所望のターゲットポートに対応する(すなわち、接続される)スイッチ225のポートの識別子、および(3)I/Oコマンドが関連する特定のボリュームの識別子を、他のデータとともに含みうる。
【００４８】
＜LUNマスキング＞
特定のストレージボリュームへのアクセスを、単一のサーバ、または単一のホストエンティティとして定義される1または複数のサーバのクラスタに限定または制限するのが望ましいことがある。よって、実施形態により、ストレージシステム180で維持される特定のボリュームを、選択されたサーバのすべてのポートに割り当てる(他のサーバの他のポートには割り当てない)ことができる。別の実施形態では、特定のストレージボリュームへのアクセスを、特定のホストエンティティ(複数のサーバを含みうる)に限定できる。よって、当該ストレージボリュームは、ホストエンティティに関連する各サーバのすべてのポートに割り当てられうる。詳細には、ボリュームは、それぞれのイニシエータポートに関連付けられた1または複数のWWPNに割り当てられる。ストレージボリュームのさまざまなイニシエータWWPNへの割り当てを示す割り当て情報は、ストレージシステム180によって維持される。ストレージシステム180は、「LUNマスキング」と呼ばれる方法を使用して、ストレージボリュームへのアクセスを割り当てに応じて許可する。LUNマスキングを実行する手法の例を以下に説明する。
【００４９】
例示的な実施形態では、図4に示すボリューム1 (491)へのアクセスが、サーバ135-Aに許可される(サーバ135-Bまたは他のすべてのサーバには許可されない)。したがって、ボリューム1 (491)は、サーバ135-AのイニシエータポートI-1のWWPNとイニシエータポートI-2のWWPNとに割り当てられる。
【００５０】
したがって、LUNマスキング手法の例では、ストレージシステム180のストレージマネージャ410がボリューム1 (491)を指定するI/Oコマンドを受け取ると、ストレージマネージャ410は、そのI/Oコマンドから、送信元イニシエータポートのWWPNを判断するために使用できる情報を取得する。ストレージボリュームがこの特定のWWPNに割り当てられている場合、ストレージマネージャ410は、そのボリュームへのアクセスを提供する。たとえば、I/Oコマンドがボリューム1を指定し、イニシエータポートI-1から送信された場合、ストレージシステム180は、ボリューム1がイニシエータポートI-1のWWPNに割り当てられていることを確認し、ボリューム1へのアクセスを提供する。ボリュームが送信元のWWPNに割り当てられていない場合、ストレージマネージャ410は、I/Oコマンドを拒否し、ボリュームへのアクセスを認めない。
【００５１】
＜ゾーニング＞
ゾーニング(zoning)と呼ばれる方法を使用すると、FCスイッチ225のポート間の内部パスを、1または複数の定義済みポリシーに応じて構成できる。たとえば、FCスイッチ225は、スイッチ225の第1のポートがスイッチ225の指定された第2のポートのみにリンクされる、すなわちゾーニングされるように構成されうる。または、FCスイッチ225は、FCスイッチ225の第1の指定されたポートが、FCスイッチ225の2つ以上のポートに確実にゾーニングされるように構成されうる。図7は、実施例に従ってFCスイッチ225内で確立されうるゾーニング構成の例を示す。図7の例示的な実施形態では、ポートP-1が内部パス771を介してポートP-5にゾーニングされ、ポートP-2が内部パス772を介してポートP-5にゾーニングされるとともに内部パス773を介してポートP-6にゾーニングされ、ポートP-3が内部パス774を介してポートP-6にゾーニングされ、ポートP-4が内部パス775を介してポートP-6にゾーニングされている。図7に示すゾーニング配置とは異なる他のゾーニング配置も使用されうる。ハードゾーニングとして知られるゾーニング方法の一実施形態によれば、ゾーニングはスイッチポートに基づいて確立される。
【００５２】
ソフトゾーニングと呼ばれるゾーニング方法では、サーバ135のイニシエータポートとストレージシステム180のターゲットポートとの間で関係を定義することにより、FCスイッチ225内でゾーニング構成を確立できる。サーバ135のイニシエータポートは、さまざまなポート間の物理接続に関係なく、ストレージシステム180のターゲットポートに対してゾーニングされうる。例示的な実施形態(図2および図7を参照)では、サーバ135-AのイニシエータポートI-1は、ストレージシステム180のターゲットポートT-1にのみゾーニングされうる。詳細には、イニシエータポートI-1は、イニシエータポートI-1からリンク271を経てFCスイッチ225のポートP-1へ、次いで内部的に内部パス771を経てFCスイッチ225のポートP-5へ、次いでストレージシステム180のターゲットポートT-1にゾーニングされうる。したがって、サーバ135-AのイニシエータポートI-1は、ストレージシステム180のターゲットポートT-1に対してのみデータを送信および受信できる。この例では、イニシエータポートI-1がFCスイッチ225のポートP-1およびP-5に接続されているが、イニシエータポートI-1は、物理ポートではなくさまざまなポートのWWPNに基づくソフトゾーニング方法を使用して、任意の他のスイッチポートに接続されうることに注目されたい。
【００５３】
例示的な実施形態では、サーバ135-AのイニシエータポートI-2は、ストレージシステム180の2つのターゲットポートにゾーニングされる。詳細には、イニシエータポートI-2は、イニシエータポートI-2からリンク272を経てFCスイッチ225のポートP-2、次いで内部的に内部パス772を経てFCスイッチ225のポートP-5、次いでリンク281を経てストレージシステム180のターゲットポートT-1に至る第1のパスを通じて、ターゲットポートT1にゾーニングされる。またイニシエータポートI-2は、イニシエータポートI-2からリンク272、FCスイッチ225のポートP-2、内部パス773、FCスイッチ225のポートP-6、およびリンク282を経てストレージシステム180のターゲットポートT-2に至る第2のパスを通じて、ターゲットポートT2にもゾーニングされる。したがって、サーバ135-AのイニシエータポートI-2は、ストレージシステム180の両方のターゲットポートT-1およびT-2に対してデータを送信および受信するができる。上述したように、ゾーニング構成は、さまざまなポート間の物理接続に関係なく、ソフトゾーニング方法を使用して、さまざまなポートのWWPNに基づいて変更できる。
【００５４】
＜マルチパス機能＞
実施形態では、サーバ135-Aは、FCスイッチ225内の特定のゾーニング構成によって定義されたパスと、ストレージシステム180内のLUNマスキングと、ストレージシステム180で維持されているさまざまなボリュームとの間の関係を判断する機能を含む。たとえば、図3を参照すると、サーバ135-Aのサービスマネージャ325は、マルチパス機能を含みうる。または、そのような機能は、サーバ135-Aに存在する独立したソフトウェアアプリケーションによって実装されうる。そのようなソフトウェアアプリケーションは、マルチパスソフトウェアアプリケーションとも呼ばれる。
【００５５】
例示的な実施形態では、サービスマネージャ325は、マルチパス機能を使用して、サーバ135-Aとストレージシステム180の間で利用可能なすべてのパスを(FCスイッチ225内で確立されたすべての内部ゾーニングと、ストレージシステム180で確立されたLUNマスキングとを考慮して)調べ、それぞれのパスを介してアクセスされうる各ストレージボリュームを特定する。したがって、サービスマネージャ325は、イニシエータポートI-1がストレージシステム180の1つのターゲットポートT-1のみにゾーニングされていることを判断する。サービスマネージャ325はさらに、この特定のパスが、1つの特定のストレージボリュームへのアクセスを可能にすることを判断する。加えて、サービスマネージャ325は、イニシエータポートI-2がストレージシステム180の2つのポートT-1およびT-2にゾーニングされていることを判断する。サービスマネージャ325はまた、これらのパスのそれぞれが、1つのストレージボリュームへのアクセスを可能にすることを判断する。この判断は、サーバ135の各イニシエータポートに関連付けられたワールドワイドポート名と、LUNマスキングとに基づいて行われうる。
【００５６】
サービスマネージャ325によって取得された、各イニシエータポートからアクセスできるボリュームに関する情報は、あいまいである可能性があり、さまざまなイニシエータポートからアクセスできる一意のボリュームの数を特定していない可能性がある。
【００５７】
サービスマネージャ325は、マルチパス機能を使用して、アクセス可能なストレージボリュームを照合確認し、イニシエータポートI-1およびI-2から実際にアクセスできる一意のストレージボリュームの数を判断する。例示的な実施形態では、サービスマネージャ325は、サーバ135-Aとストレージシステム180の間の3つの定義済みパスをそれぞれ調べ、3つのパスのすべてが3つの異なるストレージボリュームではなく同じボリューム1 (491)へのアクセスを可能にすることを判断する。
【００５８】
サービスマネージャ325は、マルチパス機能の付加的な側面を使用して、サーバ135-Aとストレージシステム180の間のトラフィックを、必要に応じて第1のパスから第2のパスに経路変更して、特定のストレージボリュームに関する継続的な通信を確保する。たとえば、サービスマネージャ325がFCスイッチ225とストレージシステム180の間のリンク281でデータのフローが中断され、ボリューム1 (491)に関する通信が中断されていることを検出した場合、サービスマネージャ325は、ボリューム1 (491)に関するすべての通信を、イニシエータポートI-2を起点としてリンク282を利用するパスなど、ボリューム1 (491)へのアクセスを可能にする別の利用可能なパスに転送できる。
【００５９】
＜インターセプタアプライアンス＞
多くのエンタープライズレベルのストレージシステムでは、既存のストレージシステムにデータ管理サービスを追加すると有益である。たとえば、データのコピー、データイメージのスナップショットの実行、データのバックアップ、データの複製、ストレージデバイスまたはストレージシステム間でのデータの移行等の機能を追加すると、しばしば有益である。このような機能は、ストレージシステムの動作を中断させずに追加するのが好ましい。
【００６０】
1つの解決策は、サーバまたはホストエンティティに機能を追加することである。たとえば、特殊なドライバ(たとえば、ソフトウェアアプリケーション)をサーバにインストールして、ストレージシステムに送信されるI/Oコマンドを傍受することができる。ただし、この解決策は、いくつかの理由で不利である。ソフトウェアをサーバにインストールすると、インストールされたアプリケーションの問題によってサーバが低速になるか、場合によってはサーバがクラッシュする可能性があるリスクを生み出す。このアプローチのもう1つの問題は、さまざまなサーバで使用されるオペレーティングシステムプラットフォームに適した異なるソフトウェアを作成しなければならないことである。異なるサーバで使用するための異なるドライバを作成するのは非効率的であり、望ましくない。
【００６１】
発明者は、ファイバチャネルスイッチとストレージシステムの間のデータパス内に、すべてのI/Oコマンドを透過的に傍受し、ストレージシステムに格納されたデータに関するデータ管理サービスを提供する機能を備えたデバイスまたはアプライアンスを挿入するシステムおよび方法を含む解決策を見つけ出した。発明者はさらに、そのようなデバイスまたはアプライアンスを、ストレージシステムの動作を中断せず、かつシステムのダウンタイムを必要とせずに、透過的に挿入するシステムおよび方法を含む解決策を見つけ出した。
【００６２】
よって、一実施形態では、インターセプタアプライアンスは、FCスイッチ225の選択されたポートとストレージシステム180の選択されたターゲットポートの間に挿入される。インターセプタアプライアンスは、ストレージシステム180の選択されたターゲットポートのWWPNを判断し、ストレージシステム180の選択されたターゲットポートにゾーニングされたサーバまたはホストエンティティの各イニシエータポートのWWPNを判断し、サーバまたはホストエンティティの各WWPNに割り当てられたストレージシステムのすべてのストレージボリュームを識別する。
【００６３】
図8は、実施形態に従ったインターセプタアプライアンス890の機能的構成要素を示す。インターセプタアプライアンス890は、インターセプタプロセス810と、メモリ815と、データ管理サービス848とを含む。インターセプタプロセス810は、インターセプタアプライアンス890のさまざまな構成要素の動作を制御する。インターセプタプロセス810は、ソフトウェア、ハードウェア、またはソフトウェアとハードウェアの組み合わせにより実装されうる機能的プロセスである。メモリ815は、インターセプタアプライアンス890のさまざまな構成要素により、データを格納するために使用される。またインターセプタアプライアンス890は、インターセプタポート846および847を含む。インターセプタポート846および847は、1または複数のホストバスアダプタを使用して実装されうる。
【００６４】
一実施形態では、インターセプタアプライアンス890はコンピュータを含む。他の種類の処理デバイスも使用されうる。
【００６５】
インターセプタアプライアンス890は、さまざまな方法のいずれかを使用して、FCスイッチ225の選択されたポートとストレージシステム180のターゲットポートの間に挿入されうる。たとえば、例示的な実施形態では、図9Aに示すように、FCスイッチ225のポートP-5とストレージシステム180のターゲットポートT-1の間のリンク281が削除される。
【００６６】
サーバ135のマルチパス機能により、リンク281の削除によってストレージシステム180で維持される任意のボリュームに関するデータのフローが中断されないことが保証される。たとえば、サーバ135のサービスマネージャ325は、リンク281の削除を検出し、イニシエータポートI-1がストレージシステム180と通信できなくなったことを判断できる。サービスマネージャ325は、マルチパス機能を使用して、ボリューム1に関連するすべてのI/Oコマンドを、(リンク281の削除によってストレージシステム180と通信できなくなった)イニシエータポートI-1から、同じくボリューム1にアクセスでき別の使用可能なパスを通じてストレージシステム180と通信できるイニシエータポートI-2に転送できることを判断できる。
【００６７】
例示的な実施形態では、インターセプタアプライアンス890は以下の態様で挿入される。図9Bを参照すると、インターセプタアプライアンス890のインターセプタポート846は、リンク981によりFCスイッチ225のポートP-5に接続され、インターセプタポート847は、リンク982によりストレージシステム180のターゲットポートT-1に接続される。
【００６８】
インターセプタアプライアンス890は、ストレージシステム180に格納されたデータに関する情報を取得するために、ファイバチャネルベースのSAN 115の構成要素と通信する。図10は、実施形態に従って、ネットワークの構成要素と通信する方法のフローチャートである。ステップ1010において、ストレージシステムのターゲットポートのターゲットワールドワイドポート名が、スイッチのスイッチポートとストレージシステムのターゲットポートの間のパスに配置されたデバイスによって識別される。例示的な実施形態では、ストレージシステム180のターゲットポートT-1がインターセプタアプライアンス890のインターセプタポート847に接続されると、ターゲットポートT-1は、インターセプタアプライアンス890への登録を試みる。よってターゲットポートT-1は、インターセプタアプライアンス890に対して、登録の要求、またはファイバチャネルログインを完了する要求を送信する。この要求は、ターゲットポートT-1のWWPNを含む。インターセプタアプライアンス890は、要求を受け取り、ターゲットポートT-1のWWPNを取得する。
【００６９】
ステップ1020において、第1の登録手順、すなわちファイバチャネルログイン手順で、デバイスの上流側ポートがターゲットワールドワイドポート名に基づいてスイッチに登録される。例示的な実施形態では、(上流側)インターセプタポート846は、ターゲットポートT-1のWWPNを使用してターゲットポートT-1になりすまし、FCスイッチ225から情報を取得する。詳細には、インターセプタアプライアンス890は、(上流側)インターセプタポート846から、FCスイッチ225への登録の要求を送信する。登録の要求には、ターゲットポートT-1のターゲットワールドワイドポート名が含まれている(また、インターセプタポート846にとって一意な第2のワールドワイドポート名が追加で含まれていることもある)。FCスイッチ225は、登録の要求を受け取り、ターゲットポートT-1のターゲットワールドワイドポート名に基づいてインターセプタポート846を登録する。FCスイッチ225は、インターセプタポート846にとって一意な第2のワールドワイドポート名に基づいてインターセプタポート846を追加的に登録することもある。
【００７０】
ステップ1030において、第2の登録手順で、ターゲットポートに関連付けられたサーバのイニシエータポートに関する登録情報が受け取られる。例示的な実施形態では、イニシエータポートから受け取られる登録情報は、イニシエータポートのワールドワイドポート名を識別する情報を含む。イニシエータポートから受け取られる登録情報は、イニシエータポートが接続されているスイッチポートを識別する情報を含むこともある。
【００７１】
よって、インターセプタポート846がターゲットポートT-1のワールドワイドポート名を使用してFCスイッチ225に登録すると、第2の登録手順で、ターゲットポートT-1にゾーニングされている任意のサーバ135(またはホストエンティティ)のすべてのイニシエータポートがインターセプタポート846に登録される。第2の登録手順時に、各イニシエータポートは、それぞれのワールドワイドポート名を識別する登録情報を送信する。したがって、(ターゲットポートT-1にゾーニングされた)各イニシエータポートI-1およびI-2は、インターセプタポート846に登録され、そのワールドワイドポート名を指定する情報をインターセプタポート846に提供する。詳細には、イニシエータポートI-1は、そのワールドワイドポート名(WWPN-1)を登録情報で提供し、イニシエータポートI-2は、そのワールドワイドポート名(WWPN-2)を提供する。イニシエータポートI-1は、接続先のスイッチポートP-1を識別するスイッチポート識別子を登録情報に含めることもある。イニシエータポートI-2は、接続先のスイッチポートP-2を識別するスイッチポート識別子を登録情報に含めることもある。
【００７２】
ステップ1040において、サーバ(またはホストエンティティ)のイニシエータポートのイニシエータワールドワイドポート名が、登録情報に基づいて判断される。したがって、インターセプタアプライアンス890は、受け取った登録情報から、サーバ135-Aの各イニシエータポートのワールドワイドポート名を取得する。詳細には、インターセプタアプライアンス890のインターセプタプロセス810で、WWPN-1がイニシエータポートI-1のワールドワイドポート名であり、WWPN-2がイニシエータポートI-2のワールドワイドポート名であることを判断する。この態様で、インターセプタアプライアンス890は、ストレージシステム180のターゲットポートT-1にゾーニングされたサーバ135-Aの各イニシエータポートのイニシエータワールドワイドポート名を判断する。
【００７３】
代替の実施形態では、イニシエータポートから受け取った登録情報は、イニシエータポートのワールドワイド名を含まず、イニシエータポートが接続されているスイッチポートを識別するスイッチポート識別子を含む。たとえば、イニシエータポートI-1は、スイッチポートP-1に接続されていることを示す登録情報を提供し、イニシエータポートI-2は、スイッチポートP-2に接続されていることを示す登録情報を提供する。よってインターセプタアプライアンス890は、シンプルネームサーバテーブル650にアクセスして調査を行い、受け取ったスイッチポート識別子ごとに、対応するイニシエータワールドワイドポート名を識別する。詳細には、インターセプタアプライアンス890のインターセプタプロセス810で、シンプルネームサーバテーブル650に問い合わせて、WWPN-1がスイッチポート識別子P-1に関連付けられていること(したがってFCスイッチ225のポートP-1にリンクされていること)を判断し、WWPN-2がスイッチポート識別子P-2に関連付けられていること(したがってFCスイッチ225のポートP-2にリンクされていること)を判断する。
【００７４】
ステップ1050において、イニシエータポートに関連付けられているストレージシステムの1または複数のストレージボリュームが、イニシエータポートのイニシエータワールドワイドポート名に基づいて識別される。例示的な実施形態では、インターセプタアプライアンス890は、サーバ135の各イニシエータポートになりすましてストレージシステム180から情報を取得する。詳細には、インターセプタアプライアンス890のインターセプタプロセス810で、標準的な手順を使用して、ターゲットポートT-1にゾーニングされたイニシエータポートのイニシエータワールドワイドポート名を、インターセプタアプライアンス890の(下流側)インターセプタポート847に追加する。したがって、インターセプタプロセス810で、WWPN-1およびWWPN-2をインターセプタポート847に追加する。イニシエータワールドワイドポート名がインターセプタポート847に追加された後、インターセプタプロセス810で、上述した態様により、各イニシエータワールドワイドポート名がアクセスできる1または複数のボリュームを識別する情報をストレージシステム180から取得しうる。
【００７５】
インターセプタアプライアンス890のポート847に関連付けられたイニシエータワールドワイドポート名ごとに、インターセプタプロセス810でストレージシステム180に対して、それぞれのイニシエータWWPNを指定し、そのイニシエータWWPNがアクセスできるボリュームを識別する情報を要求するコマンドを送信する。たとえば、インターセプタプロセス810で、SCSIプロトコルに従ってREPORT LUNコマンドを送信できる。ストレージシステム180はコマンドを受け取り、それに応じて、指定されたイニシエータWWPNがアクセスできる1または複数のボリュームを示す情報を送信する。したがって、例示的な実施形態では、インターセプタプロセス810でストレージシステム180に対して、WWPN-1を指定するREPORT LUNコマンドを送信する。これに応じて、ストレージシステム180は、インターセプタアプライアンス890に対して、WWPN-1がボリューム1 (491)にアクセスできることを示す情報を送信する。また、インターセプタプロセス810でストレージシステム180に対して、WWPN-2を指定するREPORT LUNコマンドを送信する。これに応じて、ストレージシステム180は、インターセプタアプライアンス890に対して、WWPN-2がボリューム1 (491)にアクセスできることを伝える。
【００７６】
上述したように、一部の実施形態では、ストレージシステム180から受け取った、各イニシエータワールドワイドポート名がアクセスできるボリュームに関する情報は、あいまいである可能性があり、さまざまなイニシエータワールドワイドポート名からアクセスできる一意のボリュームの数を特定していない可能性がある。結果として、インターセプタアプライアンス890は、ストレージシステム180から取得した情報を、実際に存在するよりも多くのストレージボリュームを示しているものとして解釈する可能性がある。したがって、インターセプタアプライアンス890は、ストレージシステム180から受け取った情報を照合確認して、識別されたストレージボリュームが一意であるか、または識別されたストレージボリュームの2つ以上が同一であり故に冗長であるかを判断できる。
【００７７】
よって、一実施形態では、インターセプタプロセス810で、コマンド(INQUIRYコマンドと呼ばれるSCSIコマンド等)を識別された各ボリュームに送信して、そのボリュームに関連付けられているグローバルユニーク識別子(GUID)を取得する。このコマンドに応じて、ボリュームはインターセプタアプライアンス890に対して、自らのグローバルユニーク識別子を指定するメッセージを送信する。この態様で受け取られたGUIDに基づき、インターセプタプロセス810で、一意のボリュームがいくつ存在するか、また識別されたボリュームが冗長であるか否かを判断する。各ボリュームのグローバルユニーク識別子の実装は、ストレージシステムの製造業者によって異なる可能性がある。一部の実施形態では、GUIDを構成する情報を取得するために、非標準のコマンドが必要な場合がある。
【００７８】
本明細書に記載されている方法を使用して、インターセプタアプライアンス890は、ストレージシステム180の選択されたターゲットポートにゾーニングされているイニシエータWWPNを識別し、そのイニシエータWWPNがアクセスできるストレージシステム180内の1または複数のボリュームを識別する。この方法は、選択されたサーバ(またはホストエンティティ)に関連付けられた複数のWWPNを識別するために使用されうる。続いてインターセプタアプライアンス890は、それらのWWPNがアクセスできるストレージシステム180内のすべてのボリュームを識別しうる。したがってインターセプタアプライアンス890は、サーバまたはホストエンティティがアクセスできるすべてのボリュームを識別しうる。
【００７９】
本明細書に記載されたシステムおよび方法では、インターセプタアプライアンス890をFCスイッチ225とストレージシステム180の間のデータパスに挿入して、すべてのI/Oコマンドを透過的に傍受することが有利に可能となる。さらに、本明細書に記載されたシステムおよび方法では、ストレージシステム180またはネットワークの動作を中断することなく、インターセプタアプライアンス890を透過的に挿入できる。
【００８０】
＜データ管理サービスの提供＞
実施形態によれば、インターセプタアプライアンス890は、ストレージシステム180に格納されたデータに関する1または複数のデータ管理サービスを提供する。図8を参照すると、インターセプタアプライアンス890は、1または複数のデータ管理サービスを提供する機能を備えたデータ管理サービス848を含む。たとえば、データ管理サービス848は、データのコピー、データイメージのスナップショットの実行、データのバックアップ、データの複製、ストレージデバイスまたはストレージシステム間でのデータの移行等の機能を備えうる。データ管理サービス848は、ユーザインターフェイス機能を備えうる。たとえば、本明細書に記載された方法を使用してインターセプタアプライアンス890によって識別されたストレージボリュームおよびホストエンティティは、ユーザが1または複数のボリュームと、選択されたボリュームに関して実行されることを望む1または複数のサービスとを容易に選択できるように、ユーザインターフェイスを使用してユーザに提供されうる。
【００８１】
一実施形態では、特定のサーバまたはホストエンティティがアクセスできる1または複数のボリュームを上述した態様で識別した後、インターセプタアプライアンス890は、この情報を使用して1または複数のデータ管理サービスを提供できる。図11は、データ管理サービスを提供するために使用されうる通信システム100の別の実施形態を示す。図11の実施形態では、通信システム100は、ネットワーク115にリンクされたバックアップストレージシステム1140をさらに含む。例示的な実施形態では、インターセプタアプライアンス890は、特定のホストエンティティ(この例では、サーバ135-A)にアクセスが付与された1または複数のボリュームをコピーする機能を含む。よってインターセプタアプライアンス890は、ホストエンティティがアクセスできるストレージシステム180のボリュームを識別し、そのボリュームをバックアップストレージシステム1140にコピーする。
【００８２】
データのコピー中にホストエンティティによって新しいデータがボリュームに書き込まれた場合に完全で正確なコピーを行うため、インターセプタアプライアンス890は、コピー手順中にボリュームに書き込まれたすべてのデータの場所を記録する。この態様により、インターセプタアプライアンス890はボリュームに書き込まれた新しいデータを追跡する。最初の工程が完了した後、インターセプタアプライアンス890は、新しいデータの場所を示す記録を調べ、新しいデータを後続の工程でコピーする。追加の工程が実行されることもある。
【００８３】
図12は、実施形態に従ってデータ管理サービスを提供する方法のフローチャートである。ステップ1210において、スイッチに接続されたホストエンティティのイニシエータポートの識別子が、スイッチのスイッチポートとストレージシステムのターゲットポートの間のパスに配置されたデバイスによって判断される。上述した態様により、インターセプタアプライアンス890のインターセプタプロセス810で、ホストエンティティ(サーバ135-A)のイニシエータポートI-1のイニシエータWWPNを識別する。例示的な実施形態では、イニシエータポートI-1のWWPNはWWPN-1である。
【００８４】
ステップ1220において、イニシエータポートがアクセスできるストレージシステムのストレージボリュームが、識別子に基づいて識別される。例示的な実施形態では、インターセプタプロセス810で、WWPN-1がストレージシステム180で維持されているボリューム1にアクセスできることを、上述した態様で判断する。
【００８５】
ストレージシステム180のボリュームが識別された後、ホストエンティティの1または複数のイニシエータWWPNを指定する詳細で正確な情報を使用して、インターセプタアプライアンス890はI/Oコマンドを傍受し、受け取った各I/Oコマンドの送信元を判断できる。これにより、(インターセプタアプライアンス890の)データ管理サービス848で、各I/Oコマンドに関連する1または複数の選択された操作を、そのI/Oコマンドの送信元に基づいて実行できる。
【００８６】
ステップ1230において、識別されたストレージボリュームに関するデータ管理サービスが提供される。図8を参照すると、(インターセプタアプライアンス890の)データ管理サービス848は、ボリューム1にアクセスし、ボリューム1のデータを別のボリュームにコピーする。図11の例示的な実施形態では、データ管理サービス848はボリューム1のデータをバックアップストレージシステム1140のボリュームにコピーする。
【００８７】
データをコピーする前に、データ管理サービス848は、インターセプタプロセス810に対し、すべてのデータ書き込みコマンドを傍受するよう指示する。データ管理サービス848は、ボリュームのデータを先頭から末尾まで逐次的な態様でコピーする作業を開始する。コピー手順が実行されている間に、ボリュームのすでにコピーされた部分に新しいデータが書き込まれる可能性がある。最新のコピーを確実に行うため、データ管理サービス848は、ボリュームに書き込まれたすべての新しいデータの場所を記録する。最初の工程が完了した後、データ管理サービス848は、新しいデータが書き込まれた場所を後続の工程でコピーする。必要に応じて、追加の工程が実行されうる。
【００８８】
他の実施形態では、データ管理サービス848は、データイメージのスナップショットの実行、データの複製、ストレージデバイスまたはストレージシステム間でのデータの移行など、他の種類のサービスを提供できる。他の機能が実行される場合、インターセプタプロセス810で必要に応じてI/Oコマンドを傍受して、そのような機能の実行を可能にする。別の実施形態では、データ管理サービス848は、ストレージシステム180で維持される選択されたボリュームとの間で送受信されるI/Oコマンドを監視し、I/Oコマンドに関する統計情報を生成できる。別の実施形態では、データ管理サービス848は、選択されたストレージボリュームとの間でやり取りされるトラフィックを監視し、予め定義された条件が検出された場合に、予め定義された機能を呼び出して指定された動作を実行できる。たとえば、データ管理サービス848は、指定されたイニシエータポートが選択されたボリュームにデータを書き込むかどうかを管理者に通知できる。
【００８９】
本明細書に記載された実施形態はファイバチャネルベースのSANの文脈で記載されているが、本明細書に記載された方法およびシステムは、ファイバチャネルベースのSAN内での使用に限定されない。他の実施形態では、本明細書に記載された方法およびシステムは、他の種類の通信システムおよびネットワークと組み合わせて使用されうる。たとえば、本明細書に記載された方法およびシステムは、iSCSIプロトコルを使用する通信システムで使用されうる。
【００９０】
さまざまな実施形態では、図10および/または図12に記載された方法のステップを含む、本明細書に記載された方法のステップは、記載または表示された特定の順序と異なる順序で実行されうる。他の実施形態では、他のステップが提供されうるか、または記載された方法からステップが削除されうる。
【００９１】
本明細書に記載されたシステム、装置、および方法は、デジタル回路を使用して、または既知のコンピュータプロセッサ、メモリユニット、ストレージデバイス、コンピュータソフトウェア、および他の構成要素を使用する1または複数のコンピュータを使用して、実装されうる。通常、コンピュータは、命令を実行するプロセッサと、命令およびデータを格納する1または複数のメモリとを含む。コンピュータはまた、1または複数の磁気ディスク、内部ハードディスクおよびリムーバブルディスク、光磁気ディスク、光学ディスク等の1または複数の大容量ストレージデバイスを含むか、それらの大容量ストレージデバイスに接続されうる。
【００９２】
本明細書に記載されたシステム、装置、および方法は、クライアント-サーバ関係で動作しているコンピュータを使用して実装されうる。通常、そうしたシステムでは、クライアントコンピュータはサーバコンピュータから離れて配置され、インターネットを介してやり取りする。クライアント-サーバ関係は、クライアントコンピュータとサーバコンピュータのそれぞれで実行されるコンピュータプログラムによって定義および制御されうる。
【００９３】
本明細書に記載されたシステム、装置、および方法は、ネットワークベースのクラウドコンピューティングシステム内で使用されうる。そのようなネットワークベースのクラウドコンピューティングシステムでは、ネットワークに接続されたサーバまたは別のプロセッサが、1または複数のクライアントコンピュータとネットワークを介して通信する。クライアントコンピュータは、たとえば、クライアントコンピュータに存在して動作するネットワークブラウザアプリケーションを介して、サーバと通信できる。クライアントコンピュータは、サーバにデータを格納し、ネットワークを介してデータにアクセスできる。クライアントコンピュータは、ネットワークを介して、データの要求またはオンラインサービスの要求をサーバに送信できる。サーバは、要求されたサービスを実行し、クライアントコンピュータにデータを提供できる。サーバはまた、計算を実行する、特定のデータを画面に表示する等の特定の機能をクライアントコンピュータに実行させるようになされたデータを送信できる。
【００９４】
本明細書に記載されたシステム、装置、および方法は、プログラミングに対応したプロセッサによって実行されるように非一時的な機械可読ストレージデバイス等の情報キャリアに有形に埋め込まれたコンピュータプログラム製品を使用して実装されうる。また、図10および/または図12の1または複数のステップを含む、本明細書に記載された方法のステップは、そのようなプロセッサによって実行可能な1または複数のコンピュータプログラムを使用して実装されうる。コンピュータプログラムは、特定の動作を実行するために、または特定の結果を得るために、コンピュータで直接的または間接的に使用可能なコンピュータプログラム命令の集まりである。コンピュータプログラムは、コンパイル言語やインタープリタ言語など、任意の形式のプログラミング言語で記述でき、たとえばスタンドアロンプログラムとして、またはモジュール、コンポーネント、サブルーチン、もしくはその他のコンピューティング環境での使用に適した単位として、任意の形式で展開できる。
【００９５】
本明細書に記載されたシステム、装置、および方法を実装するために使用されうる典型的なコンピュータの高レベルのブロック図を図13に示す。コンピュータ1300は、データストレージデバイス1302およびメモリ1303に動作可能に結合されたプロセッサ1301を含む。プロセッサ1301は、コンピュータ1300の全体的な動作を、それらの動作を定義するコンピュータプログラム命令を実行することにより制御する。コンピュータプログラム命令は、データストレージデバイス1302または他のコンピュータ可読メディアに格納され、コンピュータプログラム命令の実行が望まれるときにメモリ1303に読み込まれうる。したがって、図10の方法のステップを、メモリ1303および/またはデータストレージデバイス1302に格納されたコンピュータプログラム命令により定義し、それらのコンピュータプログラム命令を実行するプロセッサ1301により制御することができる。たとえば、コンピュータプログラム命令は、図10および/または図12の方法のステップにより定義されるアルゴリズムを実行するように当業者によってプログラムされたコンピュータ実行可能コードとして実装できる。よって、コンピュータプログラム命令を実行することにより、プロセッサ1301は図10および/または図12の方法のステップにより定義されるアルゴリズムを実行する。コンピュータ1300はまた、他のデバイスとネットワークを介して通信するための1または複数のネットワークインターフェイス1304を含む。コンピュータ1300はまた、コンピュータ1300とのユーザ対話を可能にする1または複数の入力/出力デバイス1305(たとえば、ディスプレイ、キーボード、マウス、スピーカ、ボタン等)を含む。
【００９６】
プロセッサ1301は、汎用プロセッサと特殊用途プロセッサの両方を含むことができ、コンピュータ1300の唯一のプロセッサまたは複数のプロセッサのいずれかでありうる。プロセッサ1301は、たとえば、1または複数の中央処理装置(CPU)を含みうる。プロセッサ1301、データストレージデバイス1302、および/またはメモリ1303は、1もしくは複数の特定用途向け集積回路(ASIC)および/または1もしくは複数のフィールドプログラマブルゲートアレイ(FPGA)を含むか、それらによってサポートされるか、またはそれらに統合されうる。
【００９７】
データストレージデバイス1302とメモリ1303とは、有形の非一時的なコンピュータ可読ストレージメディアをそれぞれ含む。データストレージデバイス1302とメモリ1303とは、動的ランダムアクセスメモリ(DRAM)、静的ランダムアクセスメモリ(SRAM)、ダブルデータレート同期式動的ランダムアクセスメモリ(DDR RAM)、またはその他のランダムアクセスソリッドステートメモリデバイス等の高速なランダムアクセスメモリをそれぞれ含むことができ、内部ハードディスクおよびリムーバブルディスク等の1または複数の磁気ディスクストレージデバイス、光磁気ディスクストレージデバイス、光学ディスクストレージデバイス、フラッシュメモリデバイス、消去可能プログラマブル読み取り専用メモリ(EPROM)や電気的消去可能プログラマブル読み取り専用メモリ(EEPROM)等の半導体メモリデバイス、コンパクトディスク読み取り専用メモリ(CD-ROM)、デジタル多用途ディスク読み取り専用メモリ(DVD-ROM)ディスク、またはその他の不揮発性ソリッドステートストレージデバイス等の不揮発性メモリを含みうる。
【００９８】
入力/出力デバイス1305は、プリンタ、スキャナ、ディスプレイ画面等の周辺機器を含みうる。たとえば、入力/出力デバイス1305は、ユーザに情報を表示する陰極線管(CRT)モニタや液晶表示(LCD)モニタ等のディスプレイデバイス、キーボード、およびユーザがコンピュータ1300に入力を提供できるマウスやトラックボール等のポインティングデバイスを含みうる。
【００９９】
クライアント160、サーバ135、ファイバチャネルスイッチ225、ストレージシステム180、およびインターセプタアプライアンス890を含む本明細書に記載された任意またはすべてのシステムおよび装置と、サービスマネージャ325、メモリ375、ストレージマネージャ410、メモリ475、ストレージ468、スイッチマネージャ525、メモリ575、インターセプタプロセス810、メモリ815、データ管理サービス848、およびこれらの装置または構成要素内のすべてのポートを含む当該システムおよび装置の構成要素とは、コンピュータ1300等のコンピュータを使用して実装されうる。
【０１００】
当業者は、実際のコンピュータまたはコンピュータシステムの実装が他の構造を備える可能性があり、他の構成要素をも含みうること、および図13がそうしたコンピュータの一部の構成要素の例示を目的とした高レベルな図であることを認識する。
【０１０１】
上述した発明を実施するための形態は、あらゆる点で例示的および典型的なものであって限定的なものではなく、本明細書に記載された発明の範囲は、発明を実施するための形態からではなく、特許法により許容される最大範囲で解釈される特許請求の範囲から判断されることが理解される。本明細書に表示および記載された実施形態は、本発明の原則を例示するだけであり、本発明の範囲および精神から逸脱することなく多様な変更が当業者により実装されうることが理解される。当業者は、本発明の範囲および精神から逸脱することなく、他のさまざまな機能的組み合わせを実装できる可能性がある。
【符号の説明】
【０１０２】
100  通信システム
105  ネットワーク
115  ネットワーク
135-A  サーバ
135-B  サーバ
160-A  クライアント
160-B  クライアント
180  ストレージシステム
225  ファイバチャネルスイッチ
271、272、273、274、281、282  リンク
325  サービスマネージャ
362  ホストバスアダプタ
375  メモリ
410  ストレージマネージャ
468  ストレージ
475  メモリ
491  ボリューム1
492  ボリューム2
525  スイッチマネージャ
575  メモリ
602、604、606、614  レコード
625、629  列
650  シンプルネームサーバテーブル
771、772、773、774、775  内部パス
810  インターセプタプロセス
815  メモリ
846、847  インターセプタポート
848  データ管理サービス
890  インターセプタアプライアンス
981、982  リンク
1140  バックアップストレージシステム
1300  コンピュータ
1301  プロセッサ
1302  ストレージ
1303  メモリ
1304  ネットワークインターフェイス
1305  入力/出力デバイス
I-1、I-2、I-3、I-4  イニシエータポート
P-1、P-2、P-3、P-4、P-5、P-6  スイッチポート
T-1、T-2  ターゲットポート
【図１】
2015506506.tif 000003
【図２】
2015506506.tif 000004
【図３】
2015506506.tif 000005
【図４】
2015506506.tif 000006
【図５】
2015506506.tif 000007
【図６】
2015506506.tif 000008
【図７】
2015506506.tif 000009
【図８】
2015506506.tif 000010
【図９Ａ】
2015506506.tif 000011
【図９Ｂ】
2015506506.tif 000012
【図１０】
2015506506.tif 000013
【図１１】
2015506506.tif 000014
【図１２】
2015506506.tif 000015
【図１３】
2015506506.tif 000016
【国際調査報告】
2015506506.tif 000017
2015506506.tif 000018
2015506506.tif 000019